(57)【要約】      （修正有）【課題】運搬時に、収納衣類が皺になることを防ぐ衣類を運ぶための機器を提供する。【解決手段】複数の肩を持つ衣服を支持する三角形部分１２を持つハンガー本体１０を備え、ハンガー本体が、後面１３と、畳まれたズボンを収容するための凹部１５を持つ前面１４とを有する。周りにズボンを巻き付けることができる丸みのある複数の縁を持つ平坦なズボン整形具２０を更に備え、凹部１５は、整形具及び巻き付けられたズボンを収容する大きさを持ち、ストラップ１７が、整形具及びズボンを凹部内に保持するのが好ましい。また、複数の肩を持つ衣服の下方部分を周りに巻き付けることができる丸みのある複数の縁を持つ第２の平坦な整形具３０を更に備え、ハンガー本体、ズボン整形具及び第２の整形具の少なくとも１つは、ネクタイを収容する凹部３１を有するのが好ましい。【選択図】図１
0003195775.tif 000002
【実用新案登録請求の範囲】
【請求項１】
衣類を運ぶための機器であって、
複数の肩を持つ衣服を支持する三角形部分を持つハンガー本体
を備え、
前記本体は、後面と、畳まれたズボンを収容する大きさの凹部を持つ、反対側の前面とを有する
機器。
【請求項２】
前記ハンガー本体は、前記本体をレールに掛けるためのフック又はストラップを有する
請求項１に記載の機器。
【請求項３】
前記機器は、
周りにズボンを巻き付けることができる丸みのある複数の縁を持つ平坦なズボン整形具
を更に備え、
前記凹部は、前記整形具及び巻き付けられたズボンを使用時に収容する大きさを持つ
請求項１又は２に記載の機器。
【請求項４】
１つの又は１つより多いストラップが、前記整形具及び巻き付けられたズボンを前記凹部内に保持するために設けられる
請求項３に記載の機器。
【請求項５】
前記機器は、
前記衣服の複数の肩の下方の衣服の前記下方の部分を周りに巻き付けることができる丸みのある複数の縁を持つ第２の平坦な整形具
を更に備える、請求項１から４のいずれか１項に記載の機器。
【請求項６】
前記機器上の衣服を収容するためにバッグ又はケースが更に設けられる
請求項１から５のいずれか１項に記載の機器。
【請求項７】
前記ハンガー本体、第１の整形具及び第２の整形具の少なくとも１つは、複数の収納区画を更に有する
請求項１から６のいずれか１項に記載の機器。
【請求項８】
前記ハンガー本体は、衣服の前記複数の肩を支持する複数のクッションパッドを更に有する
請求項１から７のいずれか１項に記載の機器。
【請求項９】
前記ハンガー本体、第１の整形具及び第２の整形具の少なくとも１つは、ネクタイを収容する凹部を有する
請求項１から８のいずれか１項に記載の機器。
【請求項１０】
前記ハンガー本体は、前記三角形部分を提供するために頂部を提供する１つの長辺を有する、略矩形である
請求項１から９のいずれか１項に記載の機器。
【請求項１１】
前記ハンガー本体は、丸みのある複数の縁を有する
請求項１から１０のいずれか１項に記載の機器。
【請求項１２】
前記ハンガー本体は、支持スタンドを受ける
請求項１から１１のいずれか１項に記載の機器。
【請求項１３】
前記ハンガー本体は、ズボンの複数の脚を通すことができる１つの又は１つより多い溝を有する
請求項１から１２のいずれか１項に記載の機器。
【請求項１４】
前記機器は、発泡体から形成、又は、プラスチックから成形される
請求項１から１３のいずれか１項に記載の機器。
【請求項１５】
前記機器は、膨張式の製品として形成される
請求項１から１４のいずれか１項に記載の機器。
【請求項１６】
衣類を運ぶための機器であって、
実質的に、添付の複数の図面を参照して先に説明され、かつ、添付の複数の図面に示されたような機器。
【考案の詳細な説明】
【技術分野】
【０００１】
本考案は、衣類、特にジャケット、ズボン、スーツ及びシャツを運ぶための機器に関する。
【考案の概要】
【考案が解決しようとする課題】
【０００２】
多くの者は、ジャケット、スーツ及びシャツを運ぶことを望んでいる。これは、自転車及びオートバイで通勤して衣類を職場に運ぶことを望む者、又は、列車及び飛行機で移動するビジネス関係者である。多くの者にとって、ジャケット、スーツ及びシャツの少なくとも１つに皺がないように保つことが難しい。ある者はそのような衣類用のバッグを特別に使用するが、それらを持ち運ぶことは非常に煩わしく、もしそのようなバッグが折り重ねられてスーツケースのように扱われる（例えば、飛行場で荷物ベルト上に置かれる、及び、飛行機の貨物室に置かれる）と、衣類がやはり皺になる。
【０００３】
本考案は、この課題の解決策を提供することを目的とする。
【課題を解決するための手段】
【０００４】
本考案によれば、複数の肩を持つ衣服を支持する三角形部分を持つハンガー本体を備え、当該本体は、後面と、畳まれたズボンを収容する大きさの凹部を持つ、反対側の前面とを有する、衣類を運ぶための機器が提供される。
【０００５】
好ましくは、ハンガー本体は、当該本体をレールに掛けるためのフック又はストラップを有する。
【０００６】
好ましくは、機器は、周りにズボンを巻き付けることができる丸みのある複数の縁を持つ平坦なズボン整形具を更に備え、当該凹部は、整形具及び巻き付けられたズボンを使用時に収容する大きさを持つ。好ましくは、１つの又は１つより多いストラップが、整形され巻き付けられたズボンを凹部内に保持するために設けられる。
【０００７】
好ましくは、機器は、衣服の複数の肩の下方の衣服の下方部分を周りに巻き付けることができる丸みのある複数の縁を持つ第２の平坦な整形具を更に備える。
【０００８】
好ましくは、機器上の衣服を収容するためにバッグ又はケースが更に設けられる。
【０００９】
ハンガー本体、第１の整形具及び第２の整形具の少なくとも１つは、複数の収納区画を更に有してよい。ハンガー本体は、衣服の複数の肩を支持する複数のクッションパッドを更に有してよい。
【００１０】
ハンガー本体、第１の整形具及び第２の整形具の少なくとも１つは、ネクタイを収容する凹部を有してよい。
【００１１】
ハンガー本体は、三角形部分を提供するために頂部を提供する１つの長辺を有する、略矩形であってよい。ハンガー本体は、丸みのある複数の縁を有してよい。
【００１２】
ハンガー本体は、支持スタンドを受けるように適応されてよい。
【００１３】
ハンガー本体は、ズボンの複数の脚を通すことができる１つの又は１つより多い溝を有してよい。
【図面の簡単な説明】
【００１４】
本考案の実施形態が、添付の図面を参照して、これから説明される。図面は以下の通りである。
【図１】図１は、機器の全体図を示す。
【図２】図２は、機器用のケースの全体図を示す。
【図３Ａ】図３Ａは、図１の機器上に支持され畳まれているスーツを示す。
【図３Ｂ】図３Ｂは、図１の機器上に支持され畳まれているスーツを示す。
【図３Ｃ】図３Ｃは、図１の機器上に支持され畳まれているスーツを示す。
【図３Ｄ】図３Ｄは、図１の機器上に支持され畳まれているスーツを示す。
【図４】図４は、図１に示されるハンガー本体の代替のものを示す。
【考案を実施するための形態】
【００１５】
図１を参照すると、衣類を運ぶための機器１が示されている。
【００１６】
機器１は、肩を持つ衣服を支持する三角形部分１２を作るために中央頂部１１を持つ１つの長辺を有する、略矩形のハンガー本体１０を備える。本体１０は、後面１３と、畳まれたズボンを収容する大きさの凹部１５を有する、反対側の前面１４とを有する。凹部１５は、開放上面１５Ａ及び開放側面１５Ｂを有する。ハンガー本体１０は全ての縁が丸められている。
【００１７】
ハンガー本体１０は、本体をレール又はフックに掛けるためのストラップ１６（又は、代替的にフック）を有する。
【００１８】
機器１は、ズボンを周りに巻き付けることができる丸みのある縁を持つ平坦な矩形のズボン整形具２０を備える。凹部１５は、整形具２０及び巻き付けられたズボンを受ける大きさを有する。整形具及び巻き付けられたズボンを凹部１５内に保持するためにベルクロストラップ１７が設けられる。
【００１９】
機器１は更に、衣服の肩の下方の衣服の下方部分を周りに巻き付けることができる丸みのある縁を持つ平坦な第２の整形具３０を備える。第２の整形具３０はネクタイのための凹部３１を有する。同様の凹部は、第１の整形具２０及びハンガー本体１０内に設けられてよい。
【００２０】
ハンガー本体１０、第１の整形具２０及び第２の整形具３０の少なくとも１つは、収納区画（図示せず）を更に有してよい。ハンガー本体１０は、衣服の肩を支持するクッションパッド１８Ａ、１８Ｂを更に有してよい。
【００２１】
ここで図２を参照すると、機器１上の衣服を収容するケース４０が示されている。ケース４０は、ジップ４３によって共に締められ得る第１及び第２のヒンジ付きの側部４１、４２から形成される。ケースの頂部には、開口４４が設けられ、開口４４を通じて手を入れるによって機器１が把持され得るケース４０は、内容物が押しつぶれることを妨げるのを促進するためにケースの前及び後面の縁に沿ってビーディング４５、４６を備える。
【００２２】
ここで図３Ａから図３Ｄを参照すると、スーツを運ぶための機器１の使用法が概略形式で示される。
【００２３】
図３Ａに示されるように、スーツのズボンＸは、第１の整形具２０の周りに巻き付けられてよく、ハンガー本体１０内の凹部１５に配されてよい。
【００２４】
図３Ｂに示されるように、その後、スーツのジャケットＹは、ハンガー本体がジャケットの肩を支持する状態で、ハンガー本体１０に配される。ジャケットの腕がジャケットの前に配される。第２の整形具３０がジャケット上に配される。
【００２５】
図３Ｃに示されるように、ジャケットの下部が第２の整形具３０の上に巻かれる。その後、ジャケットの上部が、図３Ｄに示されるように整形具及びジャケットの下部の上に巻かれて、ケース４０内に配される。
【００２６】
ケース４０内に配されると、リュックサック又はスーツケース内にケースが配され得る。
【００２７】
機器１は、特にハンガー本体１０の丸みのある縁、第１の整形具２０及び第２の整形具３０によって、スーツが皺になることを妨げる。必要であれば、ジャケットの前にシャツがハンガー本体上に配され得る。
【００２８】
ここで図４を参照すると、ハンガー本体を貫通して伸びる溝５１、５２が凹部の底面に形成されていることを除いて、図１に示したハンガー本体１０と同一のハンガー本体１０を備える、代替の機器５０が示されている。溝５１、５２はズボンの脚を受けるために用いられてよく、ズボンはその後に凹部内に又はハンガー本体の周りに畳まれ得る。整形具２０、３０を設ける必要はない。機器５０は機器１と同様の方法で使用されてよい。
【００２９】
機器１は好適には、発泡体から形成、又は、プラスチックから成形されてよい。代替として、機器１は、非使用時に収納のために収縮させることができる膨張式の製品として製造されてよい。
【００３０】
本考案は具体的に上述した形態とは異なる形態を取り得る。例えば、ハンガー本体は、支持スタンドを受けるように適応されてよく、従って例えばテーブル上で、例えば衣類を売るセールスマンによって、使用されてよい。
【００３１】
更なる複数の変形が、本考案の範囲から逸脱することなく、当業者には明らかであろう。
【図１】
0003195775.tif 000003
【図２】
0003195775.tif 000004
【図３Ａ】
0003195775.tif 000005
【図３Ｂ】
0003195775.tif 000006
【図３Ｃ】
0003195775.tif 000007
【図３Ｄ】
0003195775.tif 000008
【図４】
0003195775.tif 000009
【手続補正書】
【提出日】平成26年8月19日(2014.8.19)
【手続補正１】
【補正対象書類名】実用新案登録請求の範囲
【補正対象項目名】請求項１６
【補正方法】変更
【補正の内容】
【請求項１６】
前記凹部は、開放上面及び開放側面を有する
請求項１から１５のいずれか１項に記載の機器。